(57)【特許請求の範囲】
【請求項１】
サンゴが活着するサンゴ活着部を陰極にするとともに、前記陰極に対応する陽極から前記陰極へ電流を流す造礁用構造物の前記サンゴ活着部の周囲における電流を計測するにあたり、
複数の照合電極を所定の間隔で配列した電流計測装置を用いて、骨格部材で構成される前記造礁用構造物の前記サンゴ活着部である前記骨格部材の周方向に向かって３６０度を均等に分割した４箇所以上の位置で、前記複数の照合電極のうち特定の照合電極を前記骨格部材側にして前記複数の照合電極が前記骨格部材の径方向外側に並ぶように前記電流計測装置を配置して、前記複数の照合電極の配列方向における前記骨格部材の周りの電流を計測することを特徴とするサンゴ造礁用構造物の電流計測方法。
【請求項２】
サンゴが活着するサンゴ活着部を陰極にするとともに、前記陰極に対応する陽極から前記陰極へ電流を流す造礁用構造物の前記サンゴ活着部の周囲における電流を計測する際に用いる電流計測装置であり、
複数の照合電極と、
前記複数の照合電極を所定の間隔で配列して支持する照合電極支持手段と、
を含むことを特徴とするサンゴ造礁用構造物の電流計測装置。
【請求項３】
さらに、前記照合電極支持手段に取り付けられる把持部を備えることを特徴とする請求項２に記載のサンゴ造礁用構造物の電流計測装置。
【請求項４】
前記複数の照合電極のうち、計測対象に対向させる前記照合電極には、他の前記照合電極と識別する照合電極識別手段が設けられることを特徴とする請求項２又は３に記載のサンゴ造礁用構造物の電流計測装置。
【発明の詳細な説明】
【技術分野】
【０００１】
本発明は、サンゴの人工増殖に関し、さらに詳しくは、サンゴが活着するサンゴ活着部を陰極にするとともに、サンゴ活着部に対応する陽極からサンゴ活着部へ電流を流すことによってサンゴを増殖させる手法に関する。
【０００２】
近年、埋め立てや地球の温暖化に起因する海水温度の上昇等によって、サンゴ群集の白化やサンゴの死滅といったサンゴ礁の衰退が問題となっている。このため、近年においては、サンゴを人工的に養殖して、サンゴ礁を回復させる試みが提案されている。特許文献１には、海中の任意の深さに位置できる複数の浮体間に、サンゴの付着するサンゴ養生棚を備えるサンゴ養殖装置が提案されている。
【０００３】
【特許文献１】特開平１１−３２６２０号公報
【発明の開示】
【発明が解決しようとする課題】
【０００４】
ところで、近年においては、例えば、外部電源を用いて電流を流すことにより、サンゴの活着を促進する手法が提案されている。このような手法を用いる場合、陰極周辺に必要な電流が流れているかどうかを確認するために、海中において陰極周辺の電流を計測する要求があるが、適切な電流計測手法は提案されていない。
【０００５】
そこで、この発明は、上記に鑑みてなされたものであって、サンゴが活着するサンゴ活着部を陰極にするとともに、前記陰極に対応する陽極から前記陰極へ電流を流すことによってサンゴを増殖させる手法において、前記陰極の周辺における電流を海中で計測することのできるサンゴ造礁用構造物の電流計測方法及びサンゴ造礁用構造物の電流計測装置を提供することを目的とする。
【課題を解決するための手段】
【０００６】
上述した課題を解決し、目的を達成するために、本発明に係るサンゴ造礁用構造物の電流計測方法は、サンゴが活着するサンゴ活着部を陰極にするとともに、前記陰極に対応する陽極から前記陰極へ電流を流す造礁用構造物の前記サンゴ活着部の周囲における電流を計測するにあたり、複数の照合電極を所定の間隔で配列した電流計測装置を用いて、骨格部材で構成される前記造礁用構造物の前記サンゴ活着部である前記骨格部材の周方向に向かって３６０度を均等に分割した４箇所以上の位置で、前記複数の照合電極のうち特定の照合電極を前記骨格部材側にして前記複数の照合電極が前記骨格部材の径方向外側に並ぶように前記電流計測装置を配置して、前記複数の照合電極の配列方向における前記骨格部材の周りの電流を計測することを特徴とする。
【０００７】
サンゴが活着するサンゴ活着部を陰極にする手法において、海中において陰極の周りの電流を計測する際には、極めて小さい電位を検出する必要があるが、本発明によれば、複数の照合電極を用いるので、電位の検出精度を向上させることができる。これによって、海中において、陰極周辺における電流を計測できる。
【０００８】
上述した課題を解決し、目的を達成するために、本発明に係るサンゴ造礁用構造物の電流計測装置は、サンゴが活着するサンゴ活着部を陰極にするとともに、前記陰極に対応する陽極から前記陰極へ電流を流す造礁用構造物の前記サンゴ活着部の周囲における電流を計測する際に用いる電流計測装置であり、複数の照合電極と、前記複数の照合電極を所定の間隔で配列して支持する照合電極支持手段と、を含むことを特徴とする。
【０００９】
サンゴが活着するサンゴ活着部を陰極にする手法において、海中において陰極の周りの電流を計測する際には、極めて小さい電位を検出する必要があるが、本発明によれば、複数の照合電極を用いるので、電位の検出精度を向上させることができる。これによって、海中において、陰極周辺における電流を計測できる。
【００１０】
本発明の望ましい態様としては、前記サンゴ造礁用構造物の電流計測装置において、さらに、前記照合電極支持手段に取り付けられる把持部を備えることが好ましい。これによって、サンゴ造礁用構造物の電流計測装置の取り扱いが容易になるので、海中における電流計測の作業性が向上する。
【００１１】
本発明の望ましい態様としては、前記サンゴ造礁用構造物の電流計測装置において、前記複数の照合電極のうち、計測対象に対向させる前記照合電極には、他の前記照合電極と識別する照合電極識別手段が設けられることが好ましい。これによって、計測対象に対向させる特定の照合電極を容易に判別できるので、海中における電流計測の作業性が向上する。
【発明の効果】
【００１２】
本発明に係るサンゴ造礁用構造物の電流計測方法及びサンゴ造礁用構造物の電流計測装置は、前記陰極に対応する陽極から前記陰極へ電流を流すことによってサンゴを増殖させる手法において、前記陰極の周辺における電流を海中で計測することができる。
【発明を実施するための最良の形態】
【００１３】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲に属するものが含まれる。以下においては、いわゆる流電陽極法を用いてサンゴの活着を促進する手法において、流電陽極法の陰極、すなわちサンゴが活着するサンゴ活着部の周りの電流を計測する手法を説明するが、本発明の適用対象は流電陽極法を用いた手法に限定されるものではない。例えば、サンゴが活着するサンゴ活着部を陰極とするとともに、外部電源を用いて海中に配置した陽極から陰極へ電流を流して、サンゴの活着を促進する手法に対しても本発明は適用できる。
【００１４】
本実施形態は、サンゴが活着するサンゴ活着部を陰極にするとともに、前記陰極に対応する陽極から前記陰極へ電流を流す造礁用構造物の前記サンゴ活着部の周囲における電流を計測する場合に、複数の照合電極を用いて、前記複数の照合電極の配列方向における電流を、前記サンゴ活着部の周囲における複数の位置で計測する点に特徴がある。
【００１５】
図１は、本実施形態に係るサンゴ造礁用構造物で採用する流電陽極法を説明するための概念図である。この実施形態に係るサンゴ造礁用構造物１では、いわゆる流電陽極法を利用した電着により、サンゴを活着させるサンゴ活着部、すなわちサンゴ活着床を陰極として、サンゴ活着床１１に電着鉱物を析出させて、サンゴ活着床１１に着底したサンゴＳの活着及び成長を促進する。次の説明においては、陰極をサンゴ活着床１１とするため、サンゴ活着床１１と陰極とは同義である。
【００１６】
図１に示すように、サンゴＳを着底させるサンゴ活着床１１を陰極とするとともに、陰極（サンゴ活着床１１）よりも自然電位が卑な金属を陽極（流電陽極）１０として配置する。そして、陽極１０と陰極（サンゴ活着床１１）とを導体Ｌで接続し、陽極１０、陰極（サンゴ活着床１１）、及び陽極１０と陰極（サンゴ活着床１１）との間に介在する電解質（海水）の電池作用を利用して、陽極１０−陰極（サンゴ活着床１１）間に電流を流す。これによって、陰極（サンゴ活着床１１）にはＣａＣＯ３、Ｍｇ（ＯＨ）２、ＭｇＣＯ３等の石灰質（電着鉱物）を析出させるとともに、陰極（サンゴ活着床１１）の周辺環境のアルカリ化を促進する。
【００１７】
陰極（サンゴ活着床１１）に析出した石灰質は、サンゴＳが活着する基盤となる。また、陰極（サンゴ活着床１１）の周辺環境のアルカリ化が促進される（すなわち陰極の周辺における海水のｐＨが上昇する）と、サンゴＳの石灰化に必要なエネルギーが小さくなるため、サンゴＳの成長速度及び耐性を向上させる。これらの作用によって、この実施形態に係るサンゴ養殖装置では、サンゴＳの成長を促進させるとともに、サンゴ活着床１１への活着をより確実なものとすることができる。
【００１８】
流電陽極法を用いる場合において、陰極（サンゴ活着床１１）への石灰質の析出及び陰極（サンゴ活着床１１）周辺における環境のアルカリ化を促進させるためには、陽極（流電陽極）１０の種類が重要になる。陰極電位が約−１０００ｍＶ（飽和かんこう電極基準、以下省略）より貴側（電位が高い）であれば、陰極（サンゴ活着床１１）における反応は、おおむね式（１）で表される酸素還元反応で、電流密度の大きさは１００ｍＡ／ｍ２程度である。この反応に対応する陽極１０は、アルミニウム系の材料で構成するが、上記電流値では石灰質の析出は遅くなる。一方、陽極１０の消耗は比較的小さいため、陽極１０の寿命は長くなる。
Ｏ２＋Ｈ２Ｏ＋４ｅ−→４ＯＨ−・・・（１）
【００１９】
一方、陰極電位が−１１００ｍＶより卑側（電位が低い）であれば、陰極（サンゴ活着床１１）における反応は、おおむね式（２）で表される水素発生反応で、電流密度の大きさは１０００ｍＡ／ｍ２以上も可能となる。この反応に対応する陽極１０は、マグネシウム系の材料で構成する。上記電流値では、石灰質の析出は早くなるが、流電陽極の消耗が大きく、陽極１０の寿命は短くなる。
２Ｈ２Ｏ＋２ｅ−→Ｈ２＋２ＯＨ−・・・（２）
この実施形態においては、石灰質の析出や陽極１０の消耗、あるいは藻や貝類等の付着抑制等を考慮して、陽極１０の材料を選択したり、陽極１０の形状や配置等を変更したりする。例えば、初期においては陽極から陰極へ流れる電流を大きくして藻類や貝類の付着を抑制し、ある程度の期間が経過したら、前記電流を小さくして、サンゴの成長を促進する。
【００２０】
サンゴＳの成長を促進させるためには、少なくとも通常の電気防食における電流密度（１００ｍＡ／ｍ２程度）よりも大きいことが好ましいが、２０００ｍＡ／ｍ２を超えるとサンゴの成長速度よりも石灰質等の電着速度の方が速くなり、サンゴの成長を阻害するおそれがある。このため、サンゴが活着した後は、電流密度を２０００ｍＡ／ｍ２以下にすることが好ましい。また、石灰藻がサンゴの活着を促進する可能性がある。このため、サンゴ造礁用構造物１を海中に設置してからサンゴが活着するまでの間は、サンゴが活着した後よりも大きい電流密度（例えば３０００ｍＡ／ｍ２程度）として石灰質のような電着鉱物をサンゴ活着床１１へ積極的に析出させる。これによって、石灰質へ石灰藻を定着させて、サンゴ活着床１１への石灰藻の付着を促進する。その後、電流密度をサンゴの成長に適した値（例えば２０００ｍＡ／ｍ２以下）として、サンゴの活着及び成長を促進する。上述した電流密度を実現するためには、陰極電位を−１１００ｍＶ程度よりも低くすればよい。そして、サンゴＳの成長を促進させるにあたっては、前記電流密度を実現できるような陽極１０の材料や配置等を選択する。
【００２１】
また、サンゴＳの成長を促進させるにあたっては、サンゴＳを育成する海域の流速に応じて、前記電流密度を変更することが好ましい。より具体的には、サンゴＳを生育する海域の流速が大きくなるにしたがって前記電流を大きくする。これによって、より確実に陰極（サンゴ活着床１１）への石灰質の析出及び陰極（サンゴ活着床１１）周辺における環境のアルカリ化を促進させることができる。
【００２２】
ここで、陰極（サンゴ活着床１１）の材料は、自然電位が陽極１０よりも貴側（電位が高い）の金属であればよいが、海水中で用いることを考慮して、ステンレス鋼、あるいはチタン（Ｔｉ）やチタン化合物等の耐食性が高い金属を用いることが好ましい。また、陽極１０は、上述したように、陰極（サンゴ活着床１１）よりも卑側（電位が低い）の金属を用いる。このような金属の中から、陽極１０を構成する材料としては、適用される電流の大きさや寿命を考慮して、例えば、亜鉛、亜鉛合金（亜鉛系）、アルミニウム、アルミニウム合金（アルミニウム系）、マグネシウム、マグネシウム合金（マグネシウム系）の中から少なくとも一つを用いる。
【００２３】
大きな電流を流すためには陽極１０にマグネシウム系を用い、これよりも電流が小さくてよい場合には陽極１０に亜鉛系又はアルミニウム系を適用する。ただし、電流の大きいマグネシウム系では寿命が短く、また、電流の小さな亜鉛系及びアルミニウム系では長寿命となるので、適宜使い分ける。初期に大電流、後半の中電流を維持する目的で、マグネシウム系と亜鉛系との組み合わせ、あるいはマグネシウム系とアルミニウム系の組み合わせとしてもよい。
【００２４】
この実施形態に係るサンゴ造礁用構造物１では、陰極とサンゴ活着床１１とを同一としているが、陰極とサンゴ活着床１１とを別個に用意してもよい。例えば、鋼やステンレス鋼の陰極と陽極１０とを用意するとともに、例えば、金属線や繊維等をセラミック粉で被覆したシートを、サンゴ活着床１１として陰極の近傍に配置する。この場合、陽極１０と陰極との間にサンゴ活着床１１を配置すれば、より効率よく電着鉱物をサンゴ活着床１１に堆積させることができるので、サンゴＳの成長をより促進させることができ、好ましい。
【００２５】
図２は、本実施形態に係るサンゴ造礁用構造物の他の構成例を示す概念図である。図２に示すサンゴ造礁用構造物１ａのように、陰極であるサンゴ活着床１１と陽極１０との間に、陽極１０とサンゴ活着床１１との間を流れる電流の大きさを制御可能な電流制御手段（例えばダイオードや抵抗）２０を設けてもよい。例えば、陽極１０とサンゴ活着床１１とに対して直列にダイオードを挿入する。これによって、ポリプを養殖する海域の流速や塩分濃度等といった海象状況に応じて陽極１０とサンゴ活着床１１との間を流れる電流を調整できるので、海象状況に応じて陰極の周辺をポリプの育成に最適な環境とすることができる。また、電流制御手段２を用いれば、例えば、石灰藻をサンゴ活着床１１へ定着させるために石灰質をサンゴ活着床１１へ析出させる段階、サンゴがサンゴ活着床１１へ定着して成長する段階等、サンゴの定着や成長段階に応じて、陽極１０とサンゴ活着床１１との間を流れる電流を容易に調整できる。
【００２６】
この実施形態では、サンゴ活着床１１に直接サンゴＳを活着させるが、例えば、セラミックシート等にサンゴのプラヌラ幼生を捕獲し、着底させたものを、サンゴ活着床１１上に配置して、プラヌラ幼生から変態したポリプの活着、成長を促進してもよい。このようにしても、電着による電着鉱物の析出、サンゴ活着床１１の周辺環境のアルカリ化が促進されるので、サンゴＳの成長が促進される。
【００２７】
図３は、本実施形態に係るサンゴ造礁用構造物の構成例を示す正面図である。図４は、本実施形態に係るサンゴ造礁用構造物の構成例を示す平面図である。図５は、本実施形態に係るサンゴ造礁用構造物の構成例を示す側部図である。本実施形態に係るサンゴ造礁用構造物１は、網状のサンゴ活着床１１を備えている。そして、サンゴ造礁用構造物１を海底Ｕに設置して、サンゴ活着床１１やサンゴ造礁用構造物１の骨格に活着させた、あるいは自然に活着したサンゴＳを育成する。このサンゴ造礁用構造物１では、上述したように流電陽極法を用いてサンゴの活着及び成長を促進させるものであり、サンゴ活着床１１が流電陽極（以下陽極という）１０に対する陰極となる。
【００２８】
このサンゴ造礁用構造物１の骨格は、棒状の第１骨格部材６と、円弧状の第２骨格部材７とを組み合わせて構成される。この骨格に、サンゴ活着床１１及び陽極１０を取り付けてサンゴ造礁用構造物１が構成される。ここで、本実施形態に係るサンゴ造礁用構造物１は、サンゴ活着床１１を陽極１０に対する陰極とするとともに、第１骨格部材６及び第２骨格部材７で構成される骨格も陽極１０に対する陰極とする。すなわち、前記骨格も、サンゴが活着するサンゴ活着部となる。このため、第１骨格部材６及び第２骨格部材７は、サンゴ活着床１１と同じ材料で製造される。これらは、例えばステンレス鋼や鋼で構成される。
【００２９】
円弧状の第２骨格部材７の両端部には、それぞれ底板９が取り付けられている。第２骨格部材７と底板９とは、補強部材である連結板８によって連結されており、第２骨格部材７の取付部における強度を向上させている。網状のサンゴ活着床１１は、隣接する第２骨格部材７の間に配置され、第１骨格部材６及び第２骨格部材７に固定される。また、陽極１０は、陽極支持部材１２を介して第２骨格部材７に固定される。第１骨格部材６及び第２骨格部材７及びサンゴ活着床１１は流電陽極法における陰極となり、陽極１０と電気的に接続される。
【００３０】
このサンゴ造礁用構造物１を海底Ｕに設置する際には、例えば人工のライブロック４を底板９の上に載置して、サンゴ造礁用構造物１の錘とする。このサンゴ造礁用構造物１は、コンクリートの構造物を含まないため質量が小さいので、ライブロック４を用いてサンゴ造礁用構造物１を安定させることが好ましい。また、ライブロック４にもサンゴを活着させることができる。
【００３１】
図６は、本実施形態に係るサンゴ造礁用構造物の電流を計測する電流計測装置を示す説明図である。図７は、図６に示す電流計測装置のＡ−Ａ矢視図である。本実施形態に係る電流計測装置２０は、図３〜図５に示すサンゴ造礁用構造物１を海中に設置した後、流電陽極法における陽極に対する陰極である第１骨格部材６や第２骨格部材７、あるいはサンゴ活着床１１に必要な電流が確保されているかどうかを確認するための計測に用いられる。電流計測装置２０は、複数（本実施形態では４個）の照合電極２１ａ、２１ｂ、２１ｃ、２１ｄと、それぞれの照合電極２１ａ、２１ｂ、２１ｃ、２１ｄに取り付けられるエンドキャップ２２ａ、２２ｂ、２２ｃ、２２ｄと、複数の照合電極２１ａ、２１ｂ、２１ｃ、２１ｄを支持する照合電極支持手段であるブラケット２３と、を備えて構成される。なお、照合電極の個数は４個に限定されるものではないが、特性の揃った照合電極を複数用意することを考慮すると、照合電極の個数は３個以上５個以下とすることが好ましい。
【００３２】
照合電極２１ａ、２１ｂ、２１ｃ、２１ｄは円柱状の電極であり、４個の照合電極２１ａ、２１ｂ、２１ｃ、２１ｄが平行に配置される（図６、図７の矢印Ｘ方向）。本実施形態に係る電流計測装置２０は、複数の照合電極２１ａ、２１ｂ、２１ｃ、２１ｄを用いるので、電流計測の精度を向上させることができる。なお、計測時において、エンドキャップ２２ａ、２２ｂ、２２ｃ、２２ｄは照合電極２１ａ、２１ｂ、２１ｃ、２１ｄから取り外され、保管あるいは移動時にエンドキャップ２２ａ、２２ｂ、２２ｃ、２２ｄが照合電極２１ａ、２１ｂ、２１ｃ、２１ｄへ取り付けられる。ブラケット２３は、４本の照合電極２１ａ、２１ｂ、２１ｃ、２１ｄを取り付けて、それぞれの照合電極の間隔を所定の大きさに維持する。これによって、複数の照合電極２１ａ、２１ｂ、２１ｃ、２１ｄを用いてサンゴ造礁用構造物１を構成する第１骨格部材６や第２骨格部材７等の周囲における電流を計測する場合の精度を確保できる。
【００３３】
ブラケット２３には、作業者が電流計測装置２０を把持する把持手段として、取っ手２４が設けられている。ブラケット２３及び取っ手２４により、４個の照合電極２１ａ、２１ｂ、２１ｃ、２１ｄを同時に扱えるので、海中での作業性が向上する。４個の照合電極２１ａ、２１ｂ、２１ｃ、２１ｄは、配線２６で電位差計２５に接続されており、電流計測対象である第１骨格部材６や第２骨格部材７等の周囲の電位を計測して、電流に換算する。
【００３４】
電流計測装置２０が備える複数の照合電極２１ａ、２１ｂ、２１ｃ、２１ｄは、特性のばらつきを極めて小さくしてあるが、特性のわずかなばらつきは存在する。本実施形態に係る電流計測装置２０は、電流計測時において、複数の照合電極２１ａ、２１ｂ、２１ｃ、２１ｄのうち特定の照合電極（本実施形態では照合電極２１ａ）を電流計測対象である第１骨格部材６や第２骨格部材７等側に配置する。これによって、照合電極２１ａ、２１ｂ、２１ｃ、２１ｄ間における特性のばらつきの影響は常に同様になるので、照合電極２１ａ、２１ｂ、２１ｃ、２１ｄ間における特性のばらつきの影響を抑制することができる。
【００３５】
本実施形態において、電流計測時に電流計測対象側へ配置する照合電極は、他の照合電極と識別できるようにしてある。本実施形態では、電流計測時に電流計測対象側へ配置する照合電極２１ａの端部２１ｔａを、他の照合電極２１ａの端部２１ｔｂ、２１ｔｃ、２１ｔｄとは異なる色とすることにより、照合電極識別手段として用いる。これによって、海中の作業時においても、電流計測時に電流計測対象側へ配置する照合電極２１ａを簡単に識別することができる。なお、電流計測時に電流計測対象側へ配置する照合電極２１ａを他の照合電極２１ｂ、２１ｃ、２１ｄと識別できる手段であれば、照合電極２１ａの端部２１ｔａの色を変更すること以外にも、ブラケット２３の電流計測対象側を他の部分とは異なる色にする構成としてもよい。次に、本実施形態に係る電流計測装置２０を用いて図３〜図５に示すサンゴ造礁用構造物１の陰極の周囲における電流を計測する方法を説明する。
【００３６】
図８、図９は、本実施形態に係るサンゴ造礁用構造物の骨格を示す説明図である。図１０は、本実施形態に係るサンゴ造礁用構造物の電流を計測する位置を示す模式図である。図１１は、図１０のＸ−Ｘ矢視図である。図１２、図１３は、サンゴ造礁用構造物の電流を計測する際における電流計測装置の姿勢を示す説明図である。図８、図９に示すように、第１骨格部材６及び第２骨格部材７で構成されるサンゴ造礁用構造物１の骨格は、流電陽極法の陰極であるので、サンゴ造礁用構造物１の骨格の周囲における電流を計測する。
【００３７】
第１骨格部材６の周りの電流を計測する場合、図１０に示すように、第１骨格部材６の周方向に向かって複数の位置（本実施形態では４箇所）で電流を計測する。本実施形態では、第１骨格部材６の周方向に向かって９０度毎に４箇所で電流を計測する。なお、電流を計測する位置は４箇所に限定されるものではない。第１骨格部材６の電流を計測する位置は、サンゴ造礁用構造物１が設置される海底Ｕに対向する位置を０度（計測位置Ａ）とし、第１骨格部材６の一端部を正面に見て反時計回りに９０度の位置を計測位置Ｂ、計測位置Ｂから反時計回りに９０度の位置を計測位置Ｃ、計測位置Ｃから反時計回りに９０度の位置を計測位置Ｄとする。すなわち、計測位置Ｂは、計測位置Ａ（０度）を基準として反時計回りに９０度の位置であり、計測位置Ｃは、計測位置Ａ（０度）を基準として反時計回りに１８０度の位置であり、計測位置Ｄは、計測位置Ａ（０度）を基準として反時計回りに２７０度の位置である。
【００３８】
第２骨格部材７の周りの電流を計測する場合、図１１に示すように、第２骨格部材７の周方向に向かって複数の位置（本実施形態では４箇所）で電流を計測する。本実施形態では、第２骨格部材７の周方向に向かって９０度毎に４箇所で電流を計測する。なお、電流を計測する位置は４箇所に限定されるものではない。第２骨格部材７の電流を計測する位置は、円弧状に形成される第２骨格部材７の円弧の内側における位置を０度（計測位置ａ）とし、反時計回りに９０度の位置を計測位置ｂ、計測位置ｂから反時計回りに９０度の位置を計測位置ｃ、計測位置ｃから反時計回りに９０度の位置を計測位置ｄとする。すなわち、計測位置ｂは、計測位置ａ（０度）を基準として反時計回りに９０度の位置であり、計測位置ｃは、計測位置ａ（０度）を基準として反時計回りに１８０度の位置であり、計測位置ｄは、計測位置ａ（０度）を基準として反時計回りに２７０度の位置である。
【００３９】
第１骨格部材６の周りの電流を計測する場合、図１２に示すように、照合電極２１ａを第１骨格部材６と対向するように電流計測装置２０を配置する。そして、作業者は、照合電極２１ａ、２１ｂ、２１ｃ、２１ｄの順に、第１骨格部材６の径方向外側に並ぶように電流計測装置２０を保持して第１骨格部材６の周りの電流（本実施形態では電位）を計測する。上述したように、照合電極２１ａの端部２１ｔａは、他の照合電極の端部とは異なる色として、他のエンドキャップと識別できるようにしてあるので、海中における作業でも容易に照合電極２１ａを第１骨格部材６に対向させることができる。第１骨格部材６の周りの電流は、計測位置Ａ〜Ｄの順に計測される。
【００４０】
第２骨格部材７の周りの電流を計測する場合、図１３に示すように、照合電極２１ａを第２骨格部材７と対向するように電流計測装置２０を配置する。そして、作業者は、照合電極２１ａ、２１ｂ、２１ｃ、２１ｄの順に、第２骨格部材７の径方向外側に並ぶように電流計測装置２０を保持して第２骨格部材７の周りの電流（本実施形態では電位）を計測する。上述したように、照合電極２１ａの端部２１ｔａは、他の照合電極の端部とは異なる色として、他の照合電極と識別できるようにしてあるので、海中における作業でも容易に照合電極２１ａを第２骨格部材７に対向させることができる。第２骨格部材７の周りの電流は、計測位置ａ〜ｄの順に計測される（図１３の矢印Ｒ方向）。なお、電流計測装置２０を第２骨格部材７の近傍に配置する場合、図１３に示すような、直角を有する治具（例えば直角三角定規）２７を用いて電流計測装置２０と第２骨格部材７との位置関係を規定することが好ましい。これにより、電流計測装置２０と第２骨格部材７との位置関係との再現性が高くなるので、電流の計測精度が向上する。
【００４１】
次に、電流の計測結果の一例を説明する。図１２に示す第１骨格部材６Ｃの周囲における電流の計測結果を表１に、図１３に示す第２骨格部材７Ｄの周囲における電流の計測結果を表２に示す。計測は、電流密度を異ならせて行った。計測結果は、図１２に示す第１骨格部材６Ｃの陽極１０と対向する部分における電流の大きさを基準とし、基準の電流の値（基準電流値）に対する比で表してある。なお、基準電流値は、それぞれの電流密度に対する値を用いる。
【００４２】
【表１】
0004939320.tif 000002
【００４３】
【表２】
0004939320.tif 000003
表１に示すように、サンゴ造礁用構造物１の第１骨格部材６Ｃの外側における電流は、基準電流値に対して０〜０．２であり、電流密度が小さいほど電流は弱くなる。第１骨格部材６Ｃの内側の電流は、基準電流値に対して０．３〜１．０であり、電流密度が大きくなるほど電流のばらつきが大きくなる。また、表１には明示していないが、陽極との距離が大きいほど電流は小さくなり、第１骨格部材６Ｃの内側では、陽極１０との距離が小さいほど電流は大きくなるという結果が得られた。
【００４４】
表２に示すように、サンゴ造礁用構造物１の第２骨格部材７Ｄの外側における電流は、基準電流値に対して０〜０．３であり、電流密度が小さいほど電流は弱くなる。また、第２骨格部材７Ｄの内側の電流は、基準電流値に対して０．５〜１．２である。また、第２骨格部材７Ｄの長手方向（円弧が形成される方向）における電流は、第２骨格部材７Ｄの内部における電流のおよそ半分であることがわかる。上記結果から、サンゴ造礁用構造物１の骨格の外側へは、ほとんど電流は流れないことがわかる。
【００４５】
以上、本実施形態では、サンゴが活着するサンゴ活着部を陰極にするとともに、前記陰極に対応する陽極から前記陰極へ電流を流すサンゴ造礁用構造物の前記サンゴ活着部の周囲における電流を計測する場合に、複数の照合電極を用いて、前記複数の照合電極の配列方向における電流を、前記サンゴ活着部の周囲における複数の位置で計測する。陽極と陰極との間に電流を流すことによりサンゴを養殖する手法において、海中において陰極の周りの電流を計測する際には、極めて小さい電位を検出する必要があるが、本実施形態では、複数の照合電極を用いることにより、電位の検出精度を向上させることができる。これによって、海中において、陰極周辺における電流を計測できるとともに、計測精度が向上する。また、海中において、陰極周辺における電流を計測できることにより、サンゴ造礁用構造物の電流分布を把握できるので、陽極や陰極を配置する際の設計に有効な情報が得られる。さらに、海中において、陰極周辺における電流を計測できることにより、サンゴの活着や成長等に有効な電流密度を評価することもできる。
【産業上の利用可能性】
【００４６】
以上のように、本発明に係るサンゴ造礁用構造物の電流計測方法及びサンゴ造礁用構造物の電流計測装置は、海中において陽極と陰極との間に電流を流し、陰極側でサンゴを人工的に増殖させることに有用であり、特に、海中において陰極周辺の電流を計測することに適している。
【図面の簡単な説明】
【００４７】
【図１】本実施形態に係るサンゴ造礁用構造物で採用する流電陽極法を説明するための概念図である。
【図２】本実施形態に係るサンゴ造礁用構造物の他の構成例を示す概念図である。
【図３】本実施形態に係るサンゴ造礁用構造物の構成例を示す正面図である。
【図４】実施形態１に係るサンゴ造礁用構造物で採用する流電陽極法を説明するための概念図である。
【図５】本実施形態に係るサンゴ造礁用構造物の構成例を示す側部図である。
【図６】本実施形態に係るサンゴ造礁用構造物の電流を計測する電流計測装置を示す説明図である。
【図７】図６に示す電流計測装置のＡ−Ａ矢視図である。
【図８】本実施形態に係るサンゴ造礁用構造物の骨格を示す説明図である。
【図９】本実施形態に係るサンゴ造礁用構造物の骨格を示す説明図である。
【図１０】本実施形態に係るサンゴ造礁用構造物の電流を計測する位置を示す模式図である。
【図１１】図１０のＸ−Ｘ矢視図である。
【図１２】サンゴ造礁用構造物の電流を計測する際における電流計測装置の姿勢を示す説明図である。
【図１３】サンゴ造礁用構造物の電流を計測する際における電流計測装置の姿勢を示す説明図である。
【符号の説明】
【００４８】
１、１ａ  サンゴ造礁用構造物
２  電流制御手段
４  ライブロック
６、６Ｃ  第１骨格部材
７、７Ｄ  第２骨格部材
８  連結板
９  底板
１０  陽極
１１  サンゴ活着床
１２  陽極支持部材
２０  電流計測装置
２１ａ、２１ｂ、２１ｃ、２１ｄ  照合電極
２２ａ、２２ｂ  エンドキャップ
２３  ブラケット
２４  取っ手
２５  電位差計
２６  配線
【図１】
0004939320.tif 000004
【図２】
0004939320.tif 000005
【図３】
0004939320.tif 000006
【図４】
0004939320.tif 000007
【図５】
0004939320.tif 000008
【図６】
0004939320.tif 000009
【図７】
0004939320.tif 000010
【図８】
0004939320.tif 000011
【図９】
0004939320.tif 000012
【図１０】
0004939320.tif 000013
【図１１】
0004939320.tif 000014
【図１２】
0004939320.tif 000015
【図１３】
0004939320.tif 000016